(57)【特許請求の範囲】
【請求項１】
屋外に配置され下方に傾斜して延びる化粧材同士の接合部を覆う化粧カバーであって、
前記化粧材の上面を覆う矩形板状の上面部と、
前記上面部から屈曲して延び、前記化粧材の側面を覆う矩形板状の側面部と、
屈曲することで前記上面部及び前記側面部の間に形成される境界線に沿って延びる屈曲部と、を備え、
前記屈曲部が延びる方向の少なくとも一方側において、前記側面部の上端部は、前記屈曲部が延びる方向に沿って前記上面部の端部から離間する方向に延出しており、
前記側面部の上端面は、前記上面部の表面と面一又は略面一である化粧カバー。
【請求項２】
前記屈曲部が延びる方向に直交する方向における前記上面部の寸法は、前記化粧材の上面の幅方向の寸法よりも小さい請求項１に記載の化粧カバー。
【請求項３】
前記化粧材は、その上面に前記傾斜方向に延びる溝を有し、
前記屈曲部が延びる方向に直交する方向における前記上面部の寸法は、前記化粧材の上面の幅方向における前記側面から前記溝までの距離以上である請求項１又は２に記載の化粧カバー。
【請求項４】
前記屈曲部が延びる方向に直交する方向における前記側面部の寸法は、前記化粧材の側面の高さ方向における寸法よりも小さい請求項１〜３のいずれか１項に記載の化粧カバー。
【発明の詳細な説明】
【技術分野】
【０００１】
本発明は、化粧カバーに関する。具体的には、屋根の端部に設けられる化粧材同士の接合部を覆う化粧カバーに関する。
【背景技術】
【０００２】
従来、建物等の構造物の外面は、雨水の浸入防止や、美観向上のため、化粧材で覆われることがある。構造物を一つの化粧材で覆うことは困難なので、化粧材は、いくつか接合されて用いられる。このため、化粧材と化粧材との接合部に隙間が生じることがある。そこで、化粧材と化粧材の接合部を、所定の幅を有するカバーで覆う技術が知られている（特許文献１参照）。特許文献１では、所定の方向に延びる化粧材同士の接合部を、化粧材の延出方向に直交する方向に延び、化粧材の両側面と上面全体を覆う帯状のカバーが提案されている。
【先行技術文献】
【特許文献】
【０００３】
【特許文献１】実用新案登録第３００４６９９号公報
【発明の概要】
【発明が解決しようとする課題】
【０００４】
しかしながら、特許文献１の技術では、屋根の傾斜方向に沿う側端部、所謂ケラバと呼ばれる部分に化粧材を配置してその接合部をカバーで覆った場合には、雨水がカバーの上面に堰き止められて、カバーの側面を伝って下方に落ちてしまい、軒先の方へ流れなくなるという問題があった。
【０００５】
本発明は、雨水を化粧材の接合部の近傍から下方へ落としにくく、化粧材の延出方向に沿って流すことのできる化粧カバーを提供することを目的とする。
【課題を解決するための手段】
【０００６】
上記目的を達成するため本発明は、屋外に配置され下方に傾斜して延びる化粧材（例えば、後述の化粧材２）同士の接合部（例えば、後述の接合部４）を覆う化粧カバーであって、前記化粧材の上面（例えば、後述の化粧材上面２１）を覆う矩形板状の上面部（例えば、後述の上面部１１）と、前記上面部から屈曲して延び、前記化粧材の側面（例えば、後述の化粧材側面２２）を覆う矩形板状の側面部（例えば、後述の側面部１２）と、を備え、屈曲して形成される屈曲部（例えば、後述の屈曲部１３）が延びる方向の少なくとも一方側において、前記側面部の上端部は、前記上面部の端部よりも外側に延出しており、前記側面部の上端面は、前記上面部の表面と面一又は略面一である化粧カバーを提供する。
【０００７】
前記屈曲部が延びる方向に直交する方向における前記上面部の寸法（例えば、後述の寸法Ｗ１）は、前記化粧材の上面の幅方向の寸法（例えば、後述の寸法Ｗ２）よりも小さいことが好ましい。
【０００８】
前記化粧材は、その上面に前記傾斜方向に延びる溝を有し、前記屈曲部が延びる方向に直交する方向における前記上面部の寸法は、前記化粧材の上面の幅方向における前記側面から前記溝までの距離（例えば、後述の距離Ｄ）以上であることが好ましい。
【０００９】
前記屈曲部が延びる方向に直交する方向における前記側面部の寸法（例えば、後述の寸法Ｈ１）は、前記化粧材の側面の高さ方向における寸法（例えば、後述の寸法Ｈ２）よりも小さいことが好ましい。
【発明の効果】
【００１０】
本発明によれば、雨水を化粧材の接合部の近傍から下方へ落としにくく、化粧材の延出方向に沿って流すことのできる化粧カバーを提供することができる。
【図面の簡単な説明】
【００１１】
【図１】本実施形態の化粧カバーが配置される屋根を示す斜視図である。
【図２】本実施形態の化粧カバー及び化粧材を示す斜視図である。
【図３】本実施形態の化粧カバーを示す斜視図である。
【図４】本実施形態の化粧カバーを示す上面図である。
【図５】本実施形態の化粧カバーを示す側面図である。
【図６】本実施形態の化粧カバーの使用の状態を示す概略図である。
【発明を実施するための形態】
【００１２】
以下、本発明の一実施形態について、図面を参照しながら詳しく説明する。
図１は、本実施形態に係る化粧カバー１を有する屋根１００の斜視図である。
図１に示すように、屋根１００は、下地材（図示せず）と、太陽エネルギー利用装置１０２と、化粧材２とを有する。
下地材は、防水シートや防火鋼板等により覆われた野地板により構成され、建物の上部天面を塞いでいる。
太陽エネルギー利用装置１０２は、下地材の上に取り付けられる。太陽エネルギー利用装置１０２は、太陽光からエネルギーを生成する平面状の太陽光発電モジュール１０４と、太陽光発電モジュール１０４を下地材に取り付けるための部材とにより構成されている。
【００１３】
化粧材２は、所謂ケラバ１０３と呼ばれる屋根１００の傾斜方向に沿う側端部に設けられている。化粧材２は、ケラバ１０３を覆い、ケラバ１０３を保護するとともに美観を向上させている。
【００１４】
図２は、本実施形態に係る化粧材２及び化粧材２に設けられる化粧カバー１の斜視図である。
図２に示すように、化粧材２は、屋根１００の傾斜方向に沿う所定の長さを有し、長手方向が傾斜方向に沿う縦長の部材である。化粧材２は、複数の化粧材２が屋根１００のケラバ１０３の長さに合わせて接合されることで、ケラバ１０３の全長を覆っている。化粧材２は、上面としての化粧材上面２１と、側面としての化粧材側面２２と、化粧材下面２４と、を有する。また、隣り合う化粧材２と化粧材２との間には、接合部４が形成されている。
【００１５】
化粧材上面２１は、ケラバ１０３の上面を覆う面である。化粧材上面２１は、化粧材２の長手方向に沿って延びる平坦な面である。化粧材上面２１は、外側上面２５と、溝２３と、を有する。
【００１６】
外側上面２５は、化粧材上面２１におけるケラバ１０３側に位置する面である。外側上面２５は、化粧材２の長手方向に沿って延び、化粧材上面２１の最外縁から内側に向かう所定幅を有する。
【００１７】
溝２３は、化粧材上面２１の奥側、すなわち屋根１００の内側で、化粧材上面２１が下方に窪む段差により形成されている。溝２３は、化粧材２の長手方向に沿って形成されている。溝２３は、上面が開口して形成され、化粧材上面２１で外側上面２５から下方に屈曲する溝側面２３１と、溝側面２３１の下端から化粧材上面の延びる方向に沿う平坦な溝底面２３２と、溝側面２３１に対向する溝奥側端面２３３とにより構成される。
【００１８】
化粧材側面２２は、化粧材上面２１の最外縁から下方に屈曲し、屋根１００のケラバ１０３の側面を覆う面である。化粧材側面２２は、屋根１００の傾斜方向に沿って延びる平坦な面である。
【００１９】
化粧材下面２４は、化粧材上面２１に対向し、屋根１００のケラバ１０３の下面側を覆う面である。
【００２０】
図３は、本実施形態の化粧カバー１の斜視図であり、図４は、化粧カバー１の上面図であり、図５は化粧カバー１の側面図である。
図３及び図５に示すように、化粧カバー１は、側面視で逆Ｌ字型をしている。化粧カバー１は、化粧材２の化粧材上面２１及び化粧材側面２２に当接させて接合部４を覆うカバーである。化粧カバー１は、上面部１１と、側面部１２と、屈曲部１３と、を有する。
【００２１】
図３及び図４に示すように、上面部１１は、化粧材上面２１を覆う平坦な面であり、矩形板状の長方形に形成されている。上面部１１は、上面部１１の長手方向が、化粧材２の長手方向に沿うように配置される。上面部１１は、ネジ孔１１４及び係止部１１３を有し、ネジ孔を介してネジにより化粧材上面２１に固定される。
【００２２】
図２に戻って、化粧カバー１が化粧材２に取り付けられた状態で、上面部１１では、一対の幅方向に沿う側縁のうち、屋根１００及び化粧材２の傾斜方向の上端側に位置する側縁が、上面部１１の傾斜方向における上方の端部１１ａとなる。
上面部１１は、幅方向に沿う側縁の寸法Ｗ１が、化粧材２の幅方向における寸法Ｗ２よりも小さく形成されている。上面部１１は、化粧材２の溝側面２３１における上部の端縁まで延びている。上面部１１の幅方向に沿う側縁の寸法Ｗ１は、化粧材側面２２から溝２３までの距離Ｄ以上に構成され、化粧材２の外側上面２５の幅を覆うように寸法が合わされている。
【００２３】
図５に示すように、係止部１１３は、上面部１１の幅方向における奥側の端部が、下方に向かって屈曲した面により構成される。係止部１１３は、化粧カバー１を化粧材２に取り付けた際、化粧材上面２１の溝側面２３１の上部の端縁に係止される。
【００２４】
屈曲部１３は、化粧カバー１が、上面部１１側から以下に述べる側面部１２側へ屈曲する上面部１１と側面部１２との境界に形成される。屈曲部１３は、化粧カバー１の側面視Ｌ字状における短辺と長辺の接続される部分である。屈曲部１３は、化粧材２の傾斜方向に沿うとともに、上面部１１の長手方向に沿う側縁に沿って延びている。
【００２５】
図３に示すように、側面部１２は、屈曲部１３の延びる方向に略直交する方向に屈曲して延びる面である。側面部１２は、矩形板状の長方形の形状を有し、側面部１２の長手方向に沿う一対の側縁１２ａ、１２ｂと、短手方向に沿う一対の側縁１２ｃ、側縁１２ｄを有する。側面部１２では、長手方向に沿う側縁１２ａ、１２ｂが、屈曲部１３の延びる方向に直交して延び、短手方向に沿う側縁１２ｃ、１２ｄが、屈曲部１３の延びる方向に沿っている。
図２に戻って、側面部１２は、側面部１２の長手方向の側縁１２ａ、１２ｂが、化粧材２の高さ方向に沿うように配置される。側面部１２は、側面部１２の長手方向の側縁１２ａ、１２ｂの寸法Ｈ１が、化粧材２の高さ方向における寸法Ｈ２よりも短く形成されている。
【００２６】
側面部１２は、短手方向の側縁１２ｃ、１２ｄが、上面部１１の長手方向に沿う側縁よりも長く形成されている。側面部１２は、化粧カバー１を化粧材２に取り付けた状態における、化粧材２の高さ方向における上端側の側縁１２ｃの中央部で屈曲部１３を介して上面部１１と連続し、側縁１２ｃの両端部１２０では、上面部１１と連続していない。側面部１２は、側縁１２ｃの両端部１２０側で、化粧材２の高さ方向に起立している。側面部１２は、側縁１２ｃの両端部１２０が、上面部１１の幅方向に延びる側縁の端部よりも外側に延出するように形成されている。図５に示すように、側面部１２の上端面は、上面部１１の表面と面一又は略面一となっている。面一又は略面一とは、同じ高さ、又はほぼ同じ高さであることを含む意味である。
【００２７】
図２に示すように、化粧カバー１が化粧材２に取り付けられた状態では、屋根１００及び化粧材２の傾斜方向を基準として、側面部１２は、上面部１１の傾斜方向における上方の端部１１ａよりも、側面部１２の両端部１２０のうち傾斜方向における上方に位置している上端部１２０ａの方が、外側（傾斜方向の上方）に位置するように延出している。具体的には、側面部１２の側縁１２ｃにおける上端部１２０ａ側と、上面部１１の側縁の傾斜方向における上方の端部１１ａとで、Ｌ字が形成されるように、側面部１２と上面部１１が配置されている。
【００２８】
図６は、本実施形態の化粧カバー１の使用の状態を示す概略図である。図６を参照して、化粧カバー１の使用の状態を説明する。
図６に示すように、化粧材２は、屋外で上方から下方に傾斜して、屋根１００のケラバ１０３を覆うように設けられる。化粧材２は、傾斜方向に連続して配置され、隣接する化粧材２同士の間に接合部４が形成されている。
化粧カバー１は、化粧材上面２１を上面部１１が覆い、化粧材側面２２を側面部１２が覆うようにして、接合部４が化粧カバー１の傾斜方向の中央となるように配置される。
【００２９】
本実施形態では、側面部１２の短手方向の側縁１２ｃ、１２ｄが、上面部１１の長手方向に沿う側縁よりも長く形成されている。このため、側面部１２は、屈曲部１３が延びる方向の少なくとも一方側において、側面部１２の上端部１２０ａが上面部１１の端部１１ａよりも外側に延出している。
【００３０】
化粧カバー１を化粧材２に取り付けた状態で雨が降ると、雨は、図６の矢印の方向に示すように、屋根の傾斜方向上方から下方へ伝い落ちてくる。化粧材上面２１を伝った雨水は、化粧カバー１の上面部１１における傾斜方向における上方の端部１１ａに堰き止められて、溝２３の方へ移動する。ここで、上面部１１の屈曲部１３が延びる方向に直交する方向における側縁、すなわち幅方向に沿う側縁の寸法Ｗ１は、化粧材２の幅方向の寸法Ｗ２よりも小さく形成されている。また、上面部１１の幅方向に沿う側縁の寸法Ｗ１は、化粧材上面２１の幅方向における、化粧材側面２２から溝２３までの距離Ｄ以上に形成され、化粧材上面２１の外側上面２５を覆っている。このため、雨水は、化粧材上面２１から溝２３に落とされて、溝２３を伝い落ちていく。
【００３１】
また、雨水は、側面部１２の傾斜方向における上方に位置している上端部１２０ａ側に堰き止められ、化粧材側面２２の方へ伝い落ちる雨水の量が低減される。なお、化粧材上面２１を伝って流れ落ちた雨水は、屋根１００の軒に至り、軒下に設けた雨樋（図示せず）に流れ込み、排水される。
【００３２】
化粧カバー１の側面部１２を伝って下方に雨水が落ちたとしても、側面部１２の長さが化粧材２の高さよりも短く形成されている。このため、図６の破線の矢印に示すように、側面部１２の表面を伝う雨水は、側面部１２の下方側の短手方向に沿う下方側の側縁１２ｄを伝って傾斜方向に移動し、分散する。
【００３３】
なお、本実施形態では、上面部１１が側面部１２の側縁１２ｃの略中央部に形成されており、側縁１２ｃの両端部１２０が上面部１１と連続していない形状を有しているので、一つの化粧カバー１を、屋根１００における一方側のケラバ１０３と、一方のケラバ１０３に向かい合う他方側のケラバ１０３の両方に取り付けられる。
【００３４】
本実施形態によれば、以下の効果が奏される。
本実施形態では、屋外に配置され下方に傾斜して延びる化粧材２同士の接合部４を覆う化粧カバー１を、化粧材２の化粧材上面２１を覆う矩形板状の上面部１１と、上面部１１から屈曲して延び、化粧材２の化粧材側面２２を覆う矩形板状の側面部１２と、を含んで構成した。また、屈曲して形成される屈曲部１３が延びる方向の少なくとも一方側において、側面部１２の上端部１２０ａを、上面部１１の端部１１ａよりも外側に延出させ、側面部１２の上端面を、上面部１１の表面と面一又は略面一とした。
【００３５】
本実施形態によれば、化粧材２を伝って上方から落ちてくる雨水は、化粧カバー１の厚みにより、流れを堰き止められる。しかし、雨水は、化粧カバー１の側面部１２における屈曲部１３が延びる方向の一方側の上端部１２０ａにより堰き止められて化粧材側面２２から外側へ落ちにくくなり、化粧カバー１の上面部１１における幅方向に沿う側縁の端部１１ａを伝って化粧材側面２２と反対の方向へ誘導される。また、化粧カバー１の側面部１２の上端面と、上面部１１の表面とが面一又は略面一であるため、化粧カバー１の厚みに沿って化粧材２の内側方向へ雨水を導くことができる。よって、雨水が化粧カバー１の配置される化粧材２の接合部４の近傍から外側へ落ちにくくなり、ケラバ１０３の下方に集中して落下することを防止できる。
【００３６】
また、本実施形態によれば、屈曲部１３が延びる方向に直交する方向における上面部１１の寸法Ｗ１を、化粧材２の化粧材上面２１の幅方向の寸法Ｗ２よりも小さくした。これにより、雨水が上面部１１の幅方向に沿う側縁の端部１１ａを伝って化粧材２の方へ流れやすくなる。
【００３７】
また、本実施形態によれば、化粧材２を、化粧材上面２１に傾斜方向に延びる溝２３を含んで構成し、屈曲部１３が延びる方向に直交する方向における上面部の寸法Ｗ１を、化粧材２の化粧材上面２１の幅方向における、化粧材側面２２から溝２３までの距離Ｄ以上に構成した。これにより、上面部１１の幅方向に沿う側縁を伝った雨水が溝２３に落ちるので、雨水を溝２３から下方に流すことができる。
【００３８】
また、本実施形態によれば、屈曲部１３が延びる方向に直交する方向における側面部１２の寸法Ｈ１を、化粧材２の化粧材側面２２の高さ方向における寸法Ｈ２よりも小さくした。これにより、雨水が化粧カバー１の側面部１２を伝っても、すぐに下方に落下せず、化粧カバー１の側面部１２の下方の側縁を伝って移動するので、落下する雨水が分散する。
【００３９】
なお、本発明は上記実施形態に限定されるものではなく、本発明の目的を達成できる範囲での変形、改良等は本発明に含まれる。
例えば、上記実施形態では、上面部１１は、側面部１２の上端側の側縁１２ｃの略中央部に位置し、側縁１２ｃの両端部１２０では、側面部１２と上面部１１とが連続しない形状としているが、これに限られない。
上面部の傾斜方向における上方の端部が、側面部の傾斜方向における上方の端部よりも下方に位置していれば、傾斜方向下方側の端部において、上面部と下面部の下端部が連続して形成されていてもよい。
【符号の説明】
【００４０】
１  化粧カバー
２  化粧材
４  接合部
１１  上面部
１１ａ  端部
１２  側面部
１３  屈曲部
２１  化粧材上面（上面）
２２  化粧材側面（側面）
２３  溝
１２０ａ  上端部
【図１】
0006333087.tif 000002
【図２】
0006333087.tif 000003
【図３】
0006333087.tif 000004
【図４】
0006333087.tif 000005
【図５】
0006333087.tif 000006
【図６】
0006333087.tif 000007